(57)【要約】【課題】利用者よって想定以上の力で素早く操作部材が操作されても、確実に解錠を行うことができる錠装置を提供すること。【解決手段】利用者が施解錠操作をするための操作部材７と、該操作部材７の操作に依り施錠位置及び解錠位置の間の動作経路中を動作する動作部材１８と、前記操作部材７の操作に伴って前記動作経路中の前記動作部材１８を規制する規制状態又は規制を解除する規制解除状態に変化し得る規制部材１９とを備えた錠装置８であって、少なくとも解錠操作時において、前記動作部材１８が前記規制部材１９に規制されることなく前記解錠位置に達するように、前記動作部材１８の移動速度を制限する制限手段２９を有する。【選択図】図５
2014091912.tif 000002
【特許請求の範囲】
【請求項１】
利用者が施解錠操作をするための操作部材と、該操作部材の操作に依り施錠位置及び解錠位置の間の動作経路中を動作する動作部材と、前記操作部材の操作に伴って前記動作経路中の前記動作部材を規制する規制状態又は規制を解除する規制解除状態に変化し得る規制部材とを備えた錠装置であって、
少なくとも解錠操作時において、前記動作部材が前記規制部材に規制されることなく前記解錠位置に達するように、前記動作部材の移動速度を制限する制限手段を有することを特徴とする錠装置。
【請求項２】
前記規制部材は、前記操作部材の操作によって発電がなされる発電手段から供給される電力を利用して、規制状態と規制解除状態とが切り換えられることを特徴とする請求項１に記載の錠装置。
【請求項３】
前記発電手段は、前記操作部材の操作によるエネルギーを一時的に蓄えて、蓄えられたエネルギーを瞬間的に放出するエネルギー蓄積手段を有することを特徴とする請求項２に記載の錠装置。
【請求項４】
前記操作部材は、回転軸を中心に回転操作されるとともに、前記制限手段は、ロータリーダンパであることを特徴とする請求項１ないし３のいずれかに記載の錠装置。
【発明の詳細な説明】
【技術分野】
【０００１】
本発明は、利用者による手動等の操作によって動作部材の規制または規制解除がなされる錠装置に関する。
【背景技術】
【０００２】
従来、利用者による手動等の操作によって動作部材の規制または規制解除がなされる錠装置においては、外部からの電力の供給を要することなく、利用者による手動等の操作によって発電された電力を使用して施錠または解錠する錠装置が開発されている。例えば、認証錠装置（錠装置）を備えたキャビネットとして、施錠または解錠に使用される電力を確保するために、キャビネットの引手部を利用者が操作することにより発電がなされる発電装置が備えられており、利用者が特に、利用者自身の手動操作により発電が行われていることを、意識することなくキャビネットを施解錠できるようにしたものが知られている（例えば、特許文献１参照）。
【先行技術文献】
【特許文献】
【０００３】
【特許文献１】特開２００８−１５６９７３号公報（第７頁、第４図）
【発明の概要】
【発明が解決しようとする課題】
【０００４】
しかしながら、特許文献１に記載の認証錠装置（錠装置）にあっては、利用者による扉の引手部（操作部材）の操作によって、引手部の回転軸部（動作部材）が少なくとも途中まで回転され、この回転軸部の回転によって発電部で発電がなされ、この電力を利用して、錠制御部が動作されるととともに、回転ロック部（規制部材）が引手部の回転軸部の回転を許容するように切り換える解錠動作が行われ、引手部の回転軸部が更に続けて回転されることで、扉が開放されるようになっている。すなわち、引手部の回転軸部の回転を許容するように切り換える解錠動作と、引手部の回転軸部による扉の開放とが、利用者による引手部の一連の回転動作によって行われるようになっているため、利用者よって想定以上の力で素早く引手部が操作されると、回転ロック部による引手部の回転軸部の解錠動作が完了していない状態で回転軸部が更に回転される可能性がある。したがって、的確なタイミングで認証錠装置の回転ロック部を作動させられず、キャビネットの扉等の解錠が確実に行われないという不具合を生じる虞がある。
【０００５】
本発明は、このような問題点に着目してなされたもので、利用者よって想定以上の力で素早く操作部材が操作されても、確実に解錠を行うことができる錠装置を提供することを目的とする。
【課題を解決するための手段】
【０００６】
前記課題を解決するために、本発明の錠装置は、
利用者が施解錠操作をするための操作部材と、該操作部材の操作に依り施錠位置及び解錠位置の間の動作経路中を動作する動作部材と、前記操作部材の操作に伴って前記動作経路中の前記動作部材を規制する規制状態又は規制を解除する規制解除状態に変化し得る規制部材とを備えた錠装置であって、
少なくとも解錠操作時において、前記動作部材が前記規制部材に規制されることなく前記解錠位置に達するように、前記動作部材の移動速度を制限する制限手段を有することを特徴としている。
この特徴によれば、操作部材の操作に起因して動作部材と規制部材とが各々所定タイミングで動作をなす場合であっても、制限手段により、解錠操作時において動作部材が規制部材に規制されることなく解錠位置に達するように動作部材の移動速度を制限することで、規制部材の所定動作が先に完了された後に、動作部材の所定動作が遂行されるように、動作部材の動作のタイミングが調整されるので、利用者よって想定以上の力や速さで操作部材が操作された場合であっても、確実に解錠を行うことができる。
【０００７】
本発明の錠装置は、
前記規制部材は、前記操作部材の操作によって発電がなされる発電手段から供給される電力を利用して、規制状態と規制解除状態とが切り換えられることを特徴としている。
この特徴によれば、電力を利用して、規制部材の規制状態と規制解除状態とを切り換えることで、規制部材が切り換えられるタイミングを、操作部材の機械的な動きから容易に分離して、規制部材の状態を切り換える制御の自由度を向上できる。なおかつ、規制部材の切り換えに、操作部材の操作によって発電がなされる発電手段から供給される電力が利用されることで、外部からの電力供給を必要とせずに、利用者による操作部材の操作のみで、施解錠を行うことができる。
【０００８】
本発明の錠装置は、
前記発電手段は、前記操作部材の操作によるエネルギーを一時的に蓄えて、蓄えられたエネルギーを瞬間的に放出するエネルギー蓄積手段を有することを特徴としている。
この特徴によれば、エネルギー蓄積手段によって、操作部材の操作によるエネルギーが一時的に蓄えられて、そのエネルギーが瞬間的に放出されることで、利用者による操作部材の操作具合によらず、規制部材の状態を切り換えるために必要な電力が所定のタイミングで安定的に供給されて、確実に施解錠を行うことができる。
【０００９】
本発明の錠装置は、
前記操作部材は、回転軸を中心に回転操作されるとともに、前記制限手段は、ロータリーダンパであることを特徴としている。
この特徴によれば、操作部材が回転軸を中心に回転操作されるので、ロータリーダンパを操作部材の回転軸等に係合させることで、容易に、操作部材の回転を制限し、操作部材の操作に依って動作する動作部材の移動速度を制限できる。
【図面の簡単な説明】
【００１０】
【図１】実施例１における什器を示す斜視図である。
【図２】錠装置を示すシステム図である。
【図３】（ａ）は、施解錠駆動部を示す断面図であり、（ｂ）は、同じく底面図である。
【図４】（ａ）〜（ｅ）は、施解錠駆動部における解錠の手順を示す説明図である。
【図５】（ａ）は、規制状態の回転体を示す説明図であり、（ｂ）は、規制解除状態の回転体を示す説明図である。
【図６】（ａ）は、解錠操作の際に発電機により出力されるピーク電流を示す図であり、（ｂ）は、施錠操作の際に発電機により出力されるピーク電流を示す図である。
【図７】施解錠駆動部の電磁石と回転体の関係を示す説明図である。
【発明を実施するための形態】
【００１１】
本発明に係る錠装置を実施するための形態を実施例に基づいて以下に説明する。
【実施例】
【００１２】
実施例に係る錠装置につき、図１から図７を参照して説明する。以下、図４及び図７の紙面左側を錠装置の正面側とし、図５の紙面下側を錠装置の正面側として説明する。
【００１３】
図１の符号１は、オフィス等に設置される什器（デスクサイドワゴン）である。この什器１は、上下三段の引出し２を備えている。また、これらの引出し２は、利用者が引出し２を開閉するための取手部（図示略）をそれぞれ有する。なお、取手部は、ラッチ機構（図示略）と連係されており、引出し２が不用意に開放されることがラッチ機構によって防止される。また、取手部が利用者に把持されることで、ラッチ機構が解除されて、引出し２が開放可能になるようになっている。また、什器１の底面には、四隅にキャスタ（図示略）が設けられており、利用者が什器１を任意に移動させ、例えば机の下方や横脇等に配置できるようになっている。なお、什器１は、机と一体に形成されていてもよく、机として利用される天板を備えていてもよい。
【００１４】
本実施例に係る錠装置は、図２に示すように、オフィス等の窓から入射される太陽光や屋内の天井照明、机上のデスクライト等の光源を利用して電力を発電する太陽電池３と、施解錠を認証する認証装置４と、認証装置４での認証結果に従って作動する電気回路５と、引出し２を施解錠する施解錠駆動部６と、利用者が施解錠駆動部６を操作するための摘み部７（操作部材）とから構成されており、この錠装置８は什器１の最上段の引出し２に備えられている。
【００１５】
まず、太陽電池３は、その受光面が什器１の前方に向けられた状態で、引出し２の前面に配置されている。そして、この太陽電池３は、天井照明等を光源として、後述する認証装置４を作動させるために十分な電力が発電されるだけの受光面の面積を有している。なお、太陽電池３は、認証装置４の作動に要する電力が発電される限り、例えば什器１の側面や天板上に配置されていても構わない。
【００１６】
次に、認証装置４は、利用者が暗証番号を入力するためのテンキー９と、認証が許可されたか否かを利用者に報知するＬＥＤ表示灯１０と、テンキー９入力に基づく制御信号に応じて電気回路５の導通状態および非導通状態を切り換えるスイッチ部３３と、これらが接続され認証判断等を行う制御部３５とを有している。なお、テンキー９およびＬＥＤ表示灯１０は、引出し２の前面板１１の前面に配設されている。
【００１７】
また、認証装置４は、太陽電池３から供給される電力によって作動する。この認証装置４は、電気回路による電気的な処理のみを行い、物理的な機械等の動作を行わないようにされているため、オフィス等の天井側に設置された室内灯などの微弱な光源を用いて太陽電池３により発電される微量な電力でも充分に作動するようになっている。なお、この認証装置４の電源として、後述する施解錠駆動部６のように、摘みやボタン等の操作部材を利用者が操作することによって発電が行われる機構を利用することにより、天井照明等が点灯できない停電時などであっても認証装置４が作動できるようにしてもよい。
【００１８】
そして、認証装置４の制御部３５は、テンキー９で利用者により入力された暗証番号が、予め登録されている認証番号と一致するか否かを判断して、暗証番号と認証番号が一致して認証を許可した場合には、後述する施解錠駆動部６の電気回路５におけるスイッチ部３３をＯＮ状態（通電可能状態）に制御するとともに、ＬＥＤ表示灯１０を点灯させる。また、暗証番号と認証番号が一致せず認証を拒否した場合には、スイッチ部３３をＯＦＦ状態（通電不可能状態）に制御するとともに、ＬＥＤ表示灯１０を点滅させる。
【００１９】
また、認証装置４の制御部３５には、太陽電池３で発電された電力を蓄えるバッテリ（図示略）が設けられている。なお、ＬＥＤ表示灯１０の代わりにインジケータなどの表示器を用いて、利用者に認証の可否を報知するようにしてもよい。
【００２０】
次に、施解錠駆動部６について詳述する。施解錠駆動部６は、前述した摘み部７によって利用者に操作される。また、施解錠駆動部６は、前述の認証装置４と連動されており、認証装置４により認証が許可された利用者のみが解錠できるようになっている。
【００２１】
図３に示すように、施解錠駆動部６は、最上段の引出し２に内蔵されており、引出し２の前面板１１の裏側に固定された取付金具６３をベースとしている。この取付金具６３には、後述する動作部材１３を直線状に案内するために、凸状に形成された案内部１４が設けられている。この案内部１４に沿って動作部材１３が左右方向（係合方向および非係合方向）に移動可能となっている。
【００２２】
そして、動作部材１３は、什器１の左右方向に長辺部が伸ばされた長方形の板状に形成された胴体部１５を有しており、この胴体部１５には、什器１の側板１６に形成された受け座１７（被係合部）に係合される矩形状の係合部１８が胴体部１５の左方向に突出して形成されているとともに、後述する回転体１９に接触される台形状の接触部２０が胴体部１５の右方向に突出して形成されている。
【００２３】
また、動作部材１３は、後述する操作ギア２１の操作ピン２２が係合されて、利用者が動作部材１３を左右方向に操作するための操作孔２３を備えている。この操作孔２３は、略９０度の円弧状に形成された弧状部２４と、この弧状部２４の一端から連続して円弧の中心方向に向けて直線状に形成された線状部２５とを有している。そして、操作ピン２２が操作孔２３の線状部２５に係合されている状態で、利用者が摘み部７を反時計回りに回転させることで、操作ギア２１の回転に伴って動作部材１３が左方向に移動される一方で、利用者が摘み部７を時計回りに回転させることで、動作部材１３が右方向に移動されるようになっている。
【００２４】
また、摘み部７は、図３に示すように、正面視で略円形状をなし、前方に突出し左右方向に延設され利用者に把持される把持部２６が形成されている。また、摘み部７の後面の中心部分には、摘み部７の後方側に棒状に突出された回転軸部２７が延設されている。そして、この回転軸部２７には、回転軸部２７と相対的に固定されて、摘み部７の回転と同時に回転される操作ギア２１が設けられている。この操作ギア２１は、正面視で円形状をなしており、その円周上の全周に歯部２８が形成されている。また、操作ギア２１の後面側の周縁近傍には、操作ギア２１の後方側に棒状に突出された操作ピン２２が設けられている。
【００２５】
また、操作ギア２１の左方側には油圧式のロータリーダンパ２９が設けられている。このロータリーダンパ２９は、回転軸に接続されたローター（図示略）がオイル中で回転されることにより、オイルの粘性抵抗で回転軸の回転運動に制動力を作用させる。そして、このロータリーダンパ２９の回転軸には、正面視で円形状をなしその全円周上に歯部３１が形成されたダンパーギア３０が設けられている。ダンパーギア３０の歯部３１は、操作ギア２１の歯部２８と噛合されており、操作ギア２１の回転に対する抵抗となって、操作ギア２１の回転速度を制限するようになっている。
【００２６】
また、操作ギア２１は、操作ギア２１に隣接して設置される被係合ギア３２の被係合片３４に係合される係合片３６を有している。この係合片３６は、操作ギア２１の中心から操作ギア２１の外周側に向けて延設されているとともに、外周側の先端部に近づくにつれて幅が徐々に狭まる板状に形成されている。また、係合片３６と操作ギア２１とは、回転軸部２７を介し互いに固定されている。
【００２７】
そして、係合片３６は、摘み部７が所定の角度の間を回転されているときに、係合片３６の先端部が被係合ギア３２の被係合片３４に係合されるようになっている。すなわち、操作ギア２１の係合片３６は、操作ギア２１が所定の角度回転されている間は、係合片３６が被係合片３４に係合されて係合状態となり、この係合状態のままさらに操作ギア２１が所定の角度を超えて回転されると、係合片３６と被係合片３４との係合が解除されるようになっている。
【００２８】
また、被係合ギア３２は、正面視で円形状をなしており、その円周上の全周に歯部３８が形成されている。また、被係合ギア３２は被係合片３４を有しており、被係合片３４は被係合ギア３２の中心から被係合ギア３２の外周側に向けて延設された略長方形の板状に形成されているとともに、被係合片３４の先端部が操作ギア２１の係合片３６に係合されるようになっている。さらに、被係合片３４と被係合ギア３２とは、連動軸３７を介し互いに固定されている。
【００２９】
また、施解錠駆動部６の取付金具６３の後部には、回転軸が回転されることで発電がなされる本発明の発電手段としての発電機４０が取り付けられている。この発電機４０の回転軸４１には、全周に歯部４２が形成されたピニオンギア４４が固定されている。また、このピニオンギア４４は、被係合ギア３２の動力を伝達する伝達ギア４５が噛合されており、伝達ギア４５を介して被係合ギア３２と機械的に接続されている。そして、発電機４０は、ピニオンギア４４の回転により駆動されて発電するようになっている。
【００３０】
また、ピニオンギア４４には、正面視で円形状をなしてその全円周上に歯部４６が形成された発電ギア４７が噛合されている。そして、この発電ギア４７の外縁付近には、発電用のコイルバネ４８を係止する係止孔４９が設けられている。このコイルバネ４８は、伸長バネであり、一端が発電ギア４７の係止孔４９に係止材５０を介して係止されるとともに、他端が固定ピン１２を介して引出し２の底部に係止される。
【００３１】
図５（ｂ）に示すように、取付金具６３の案内部１４の右端側近傍には、回転軸５１により回転自在となっている略円形状をなす回転体１９（規制部材）が設けられている。この回転体１９は、その一部が直線状に切り欠かれた切欠部５２が形成されている。図７に示すように、回転体１９が回転され、その切欠部５２が下方位置にあるときには、動作部材１３は、その係止部が什器１の受け座１７から脱離される位置まで、その動作経路中を移動できる。一方で、回転体１９の切欠部５２が上方位置にあるときには、回転体１９の一部が動作部材１３の移動経路中に配置されて、動作部材１３の接触部２０が回転体１９に接触して動作部材１３の移動動作が規制される。
【００３２】
また、図７に示すように、回転体１９の内部には、磁性を有する永久磁石が固定に設けられている。この永久磁石５３に外部から磁力が加わることで、回転体１９が回転されるようになっている。そして、永久磁石５３の磁極の向きは、回転体１９の切欠部５２が下方位置にあるときに、回転体１９の下方側がＮ極で上方側がＳ極となっている。さらに、回転体１９の右方位置には、鉄心の周りに銅線がコイル状に巻かれて形成された電磁石５４が固定配置されている。この電磁石５４に所定のタイミングで電流が通電されることで、回転体１９に磁力が加えられる。
【００３３】
上述の認証装置４のスイッチ部３３および施解錠駆動部６の発電機４０、電磁石５４により、図２に示すような電気回路５が形成される。この電気回路５では、発電機４０の２つの電極５５、５６にそれぞれ電線５７、５８が繋がれており、発電機４０は、２本の電線５７、５８を介して電磁石５４のコイルに接続されている。そして、この２本の電線５７、５８のうち一方の電線５７は、その途中で分岐され、かつ分岐後に再び合流されるように分岐された分岐線５９，６０を有している。この２つの分岐線５９，６０には、それぞれの分岐線５９，６０を流れる電流の方向を一方向に制限する整流器６１，６２が設けられており、各分岐線５９，６０を流れる電流は、正方向または逆方向の異なる方向に流れるようになっている。また、分岐線５９には、上述のスイッチ部３３が設けられており、スイッチ部３３がＯＮ状態の場合のみ電流が流れる。
【００３４】
このように電気回路５を構成することで、利用者が解錠を行う際には、認証装置４で認証を行うことが必要になる一方で、利用者が施錠操作を行う際には、特に認証装置４にて認証を行う必要はない。
【００３５】
次に、図４及び図５を参照しながら、本実施例の錠装置８において什器１を利用者が解錠操作する際の手順について説明する。
【００３６】
先ず、図４（ａ）に示すように、動作部材１３は、その係合部１８が什器１の受け座１７に挿入されて係止されている施錠位置に位置されているとともに、操作ギア２１の操作ピン２２が動作部材１３の操作孔２３の弧状部２４の左端に位置されており、回転体１９は、その切欠部５２が上方位置にあって動作部材１３の移動動作を規制している状態（規制状態）である場合を、初期状態として、利用者により解錠操作がなされる際の手順を説明する。
【００３７】
利用者が解錠を行う際には、先ず利用者は認証装置４で認証を行う。そして、利用者が暗証番号をテンキー９で入力して認証が許可された場合には、制御部３５により電気回路５のスイッチ部３３がＯＮ状態（通電可能状態）に制御される。その後、利用者は、摘み部７を時計回りに回転させる。
【００３８】
次に、図４（ｂ）に示すように、利用者によって摘み部７（操作部材）が時計回りに所定の角度回転されると、操作ギア２１の係合片３６が被係合ギア３２の被係合片３４の上方側に係合される。その後、摘み部７が更に所定の角度まで回転される間、係合片３６が被係合片３４を押し下げられて、操作ギア２１の回転力が被係合ギア３２および伝達ギア４５、ピニオンギア４４を介して発電ギア４７に伝達される。すると、発電ギア４７は操作ギア２１の回転に伴って時計回りに回転される。そして、発電ギア４７の回転に応じて発電用のコイルバネ４８が引き伸ばされて、利用者が摘み部７を回転させるエネルギーがコイルバネ４８により一時的に機械的エネルギーとして蓄えられる。
【００３９】
なお、この間、回転体１９の切欠部５２は図５（ａ）に示すように上方位置にあり、動作部材１３の移動動作が規制されている。すなわち、回転体１９は規制状態が維持されているとともに、動作部材１３は施錠位置に位置されている。
【００４０】
また、操作ギア２１の歯部２８がダンパーギア３０の歯部３１に噛合されているので、ロータリーダンパ２９により、操作ギア２１の回転が所定速度以下となるように制動がかけられる。
【００４１】
そして、図４（ｃ）に示すように、摘み部７が時計回りに更に所定の角度回転されると、操作ギア２１の係合片３６と被係合ギア３２の被係合片３４との係合状態が解除される。すると、発電ギア４７による発電用のコイルバネ４８の引き伸ばしが終わり、コイルバネ４８に蓄えられていた機械的エネルギーが瞬間的に解放されて、コイルバネ４８が復元力により縮み始めて、発電ギア４７が反時計回りに回転し、発電機４０での発電が始まる。そして、コイルバネ４８の復元力により付勢された発電ギア４７の回転速度が最も早くなる時点において、図６（ａ）に示すようなピークを有する誘導電流が発生する。このコイルバネ４８により本発明のエネルギー蓄積手段が構成される。なお、この間、動作部材１３は施錠位置にある。
【００４２】
そして、発電機４０が発電した電力は、分岐線５９のスイッチ部３３および整流器６１を介して回転体１９の右方に配置された電磁石５４に供給されるとともに、電磁石５４は一時的に磁化されて、図７に示すように電磁石５４の上端部がＮ極、下端部がＳ極となる磁場６４を発生させる。
【００４３】
また、回転体１９の内部の永久磁石５３が磁力の影響を受けて、回転体１９が回転され、回転体１９の向きが切り換わる。すなわち、図５（ｂ）に示すように、回転体１９の切欠部５２が下方位置に移動して、動作部材１３の移動動作の規制が解除された状態（規制解除状態）となる。このように、回転体１９が電磁石５４の磁極により制御され、利用者が摘み部７を手動操作することにより回転体１９の向きが制御されることで、回転体１９により、本発明の規制部材が構成される。
【００４４】
また、本実施例では、施解錠操作において、摘み部７が所定の角度の間を回転操作されることにより、コイルバネ４８が一定の長さ伸びるようになっているので、利用者による摘み部７の操作具合（摘み部７に加えられる力や回転速度）によらず、コイルバネ４８には一定のエネルギーが蓄えられる。そして、コイルバネ４８の復元力のみを利用して発電機４０により発電させているので、利用者による摘み部７の操作具合によらず、ほぼ一定のピークを有する誘導電流が生じる。したがって、電磁石５４で生じる磁場の強さもほぼ一定となり、回転体１９は、利用者による摘み部７の操作具合によらず、毎回一定の速度で回転される。
【００４５】
また、本発明における規制状態とは動作部材１３が所定の動作経路中を通過できない状態のことであり、規制解除状態とは動作部材１３が所定の動作経路中を通過できる状態のことであって、例えば規制解除状態とは、動作経路中に規制部材があっても、動作部材１３に接触することで該規制部材が押し出され、動作部材１３が動作経路中を通過できる状態であってもよい。
【００４６】
次に、図４（ｄ）に示すように、摘み部７が時計回りに更に所定の角度回転されると、操作ギア２１の操作ピン２２が、動作部材１３の操作孔２３の線状部２５に沿いながら移動しつつ、動作部材１３を右方向に押して移動させる。このとき、動作部材１３は、利用者による摘み部７の操作に応じた速度で移動される。
【００４７】
また、このとき、操作ギア２１の歯部２８がダンパーギア３０の歯部３１に噛合されており、操作ギア２１の回転速度が一定程度減速するように制動がかけられるので、係合片３６と被係合片３４との係合状態が解除された直後において、操作ギア２１を回転させる際の抵抗が急激に減少されることはない。このロータリーダンパ２９により本発明の制限手段が構成され、利用者が摘み部７を過剰な力や速さで回し続けてしまい、回転体１９の切り換わりが完了する前に、動作部材１３が回転体１９と接触してしまうことが回避される。
【００４８】
そして、動作部材１３が解錠位置に達すると、動作部材１３の係合部１８が什器１の受け座１７から脱せられると、引出し２が開放可能になる。
【００４９】
さらに、図４（ｅ）に示すように、操作ピン２２が操作孔の端部に接触するまで、摘み部７が時計回りに更に所定の角度回転されると、摘み部７の操作に応じた速度で、動作部材１３が更に移動されて、本実施例で動作部材１３が移動される範囲の最右端に到る。これにより、解錠操作が終了する。なお、この間、動作部材１３は解錠位置に位置しており、動作部材１３が最右端に到る前であっても、引出し２は開放可能である。
【００５０】
なお、利用者により解錠操作が行われる際には、先ず認証装置４で認証が行われるが、利用者によりテンキー９で暗証番号が入力されて認証が拒否された場合には、電気回路５における発電機４０と電磁石５４との間のスイッチ部３３がＯＦＦ状態（通電不能状態）となる。この状態で利用者により摘み部７が回転されると、操作ギア２１および発電ギア４７は回転されるが、ＯＦＦ状態のスイッチ部３３と分岐線６０の整流器６２により電磁石５４に電流が流れることが妨げられて磁力が生じないため、回転体１９は回転されず、規制状態が維持される。したがって、動作部材１３が右方向へ移動されるとその接触部２０が回転体１９に接触するので、動作部材１３の移動が規制される。すなわち、動作部材１３が施錠位置に位置されたままの状態が維持されて、動作部材１３の係合部１８が、什器１の側板１６の受け座１７に係止された状態となっており、利用者は引出し２を開放できない。
【００５１】
次に、錠装置８により什器１を施錠する際の手順について説明する。利用者が施錠操作を行う際には、認証装置４の操作は不要である。先ず、解錠操作が終了された状態にある摘み部７が、利用者により反時計回りに回転されると、解錠位置にある動作部材１３が操作ギア２１の操作ピン２２によって左方向に押され、動作部材１３の係合部１８が什器１の受け座１７に係止される。すなわち、動作部材１３が施錠位置に移る。
【００５２】
そして、摘み部７が反時計回りに更に回転されると、操作ギア２１の係合片３６が被係合ギア３２の被係合片の下方側に係合される。そして、係合片３６が被係合片３４を押し上げて、操作ギア２１の回転力が発電ギア４７に伝達されるとともに、発電ギア４７が回転されてコイルバネ４８を引き伸ばし、コイルバネ４８により機械的エネルギーが一時的に蓄えられる。なお、このとき、操作ギア２１や発電ギア４７の回転方向は、上述した解錠操作時とは逆方向になっている。
【００５３】
その後、係合片３６と被係合片との係合状態が解除され、コイルバネ４８に蓄えられた機械的エネルギーが瞬間的に解放されて、コイルバネ４８が復元力により縮み、発電ギア４７が時計回りに回転されて、電気回路５では、図６（ｂ）に示すようなピークを有して、上述した解錠時とは逆方向の誘導電流が分岐線６０の整流器６２を介して流れる。そして、その電流が電磁石５４に供給され、電磁石５４が一時的に磁化されて、電磁石５４の上端部がＳ極、下端部がＮ極となる磁場が発生する。この磁場により、回転体１９が回転されて、回転体１９の向きが切り換わる。すなわち、回転体１９の切欠部５２が上方位置に移動して、動作部材１３の移動動作が規制される状態（規制状態）となることで、施錠位置にある動作部材１３の移動が規制されて、引出し２が開放不能になる。
【００５４】
以上、本実施例における什器１では、摘み部７（操作部材）の操作に起因して動作部材１３と回転体１９（規制部材）とが各々所定タイミングで動作をなす場合であっても、ロータリーダンパ２９（制限手段）により、解錠操作時において動作部材１３が回転体１９に規制されることなく解錠位置に達するように動作部材１３の移動速度を制限することで、回転体１９の所定動作が先に完了された後に、動作部材１３の所定動作が遂行されるように、動作部材１３の動作のタイミングが調整されるので、利用者よって想定以上の力や速さで摘み部７が操作された場合であっても、確実に解錠を行うことができる。
【００５５】
また、電力を利用して、回転体１９（規制部材）の規制状態と規制解除状態とを切り換えることで、回転体１９が切り換えられるタイミングを、摘み部７の機械的な動きから容易に分離して、回転体１９の状態を切り換える制御の自由度を向上できる。なおかつ、回転体１９の切り換えに、摘み部７の操作によって発電がなされる発電機４０（発電手段）から供給される電力が利用されることで、外部からの電力供給を必要とせずに、利用者による摘み部７の操作のみで、施解錠を行うことができる。
【００５６】
また、コイルバネ４８（エネルギー蓄積手段）によって、摘み部７の操作によるエネルギーが一時的に蓄えられて、そのエネルギーが瞬間的に放出されることで、利用者による摘み部７の操作具合によらず、回転体１９の状態を切り換えるために必要な電力が所定のタイミングで安定的に供給されて、確実に施解錠を行うことができる。
【００５７】
また、摘み部７（操作部材）が回転軸を中心に回転操作されるので、ロータリーダンパを摘み部７の回転軸等に係合させることで、容易に、摘み部７の回転を制限し、摘み部７の操作に依って動作する動作部材１３の移動速度を制限できる。また、認証装置４は、認証動作とスイッチ部３３に供給される電力のＯＮ／ＯＦＦ状態の切り換えのみを行うため、認証装置４を微少な電力で動作させられるようになり、かつ物理的な動作を行う施解錠駆動部６に供給される電力は、認証装置４に供給される電力と別電源とすることができ、施解錠駆動部６は別電源により充分な電力量を確保できるようになる。
【００５８】
また、施解錠駆動部６の電磁石５４は、手動操作によって発電を行う発電機４０から電力の供給を受けることで、手動発電により施解錠駆動部６の動作に必要な電力量を確保することができる。なおかつ、認証装置４は太陽電池３から電力の供給を受けられるようになるので、省電力化を図ることができ、環境保護に配慮した什器１とすることができる。
【００５９】
また、認証装置４は、スイッチ部３３のＯＮ／ＯＦＦの制御を行い、回転体１９による動作部材１３の動作の規制または非規制の少なくとも一方が許容されることで、動作部材１３の動作の規制または非規制を選択的に行うことができるとともに、動作部材１３の動作は、摘み部７の操作に応じて決定されるため、記憶装置等を別途設けて、動作部材１３の動作態様を記憶しておく必要がなく、什器１の省電力化を図ることができる。
【００６０】
以上、本発明の実施例を図面により説明してきたが、具体的な構成はこれら実施例に限られるものではなく、本発明の要旨を逸脱しない範囲における変更や追加があっても本発明に含まれる。
【００６１】
例えば、前記実施例では、操作ギア２１の円周状の全周に歯部２８が設けられているが、摘み部７により動作部材１３が操作されて移動するときのみ操作ギア２１の歯部２８がロータリーダンパ２９のダンパーギア３０に係合するように円周上の一部に歯部を設けてもよい。これにより、係合片３６と被係合片３４との係合状態が解除されるのとほぼ同時に、操作ギア２１の歯部２８がダンパーギア３０の歯部３１に係合され、操作ギア２１の回転が所定速度以下となるように制動がかけられる。そして、係合片３６と被係合片３４との係合状態が解除されても、操作ギア２１を回転させる際の抵抗が急激に減少されることがなく、利用者が摘み部７を過剰な速さで回し続けてしまい、後述する回転体の切り替わりが完了する前に、動作部材１３が回転体１９と接触してしまうことが回避される。
【００６２】
また、前記実施例では、制限手段としてロータリーダンパ２９を用いているが、制限手段は、規制部材が規制解除状態を取ると同時または取った後に、動作部材１３が規制部材に達するように、少なくとも動作部材１３の移動速度を制限するようになっていればよく、例えば、動作部材１３が動作する際に所定の抵抗を与えるように、動作部材１３と接触する所定部材の表面にゴム等の高摩擦抵抗体を設けることで構成してもよいし、動作部材１３にエアダンパを取り付けることで構成してもよい。
【００６３】
また、前記実施例では、制限手段としてロータリーダンパ２９を摘み部７の操作ギア２１に係合させているが、摘み部７の操作により動作部材１３を動作させるためにギア等で構成される駆動機構内であれば、ロータリーダンパ２９を他のギア等に係合させてもよい。さらに、オフィス等に設置される什器１の引出し２に対して本発明が適用された施解錠駆動部６が設けられているが、施解錠駆動部６は、什器１の引出し２のみならず、観音扉式の開閉部を有する什器や蓋体により収納部を開閉する什器に本発明が適用された施解錠駆動部６を設けるようにしてもよい。さらに、什器のみならず、家屋の玄関のドアや窓等を施錠する施解錠装置や機械器具などの幅広い用途に適用できる。
【００６４】
また、前記実施例では、認証装置４の電源として太陽電池３を用いているが、太陽電池３に替えて小型乾電池等を用いてもよい。この場合、長期間電池等を交換しないで使用できるようになる。
【００６５】
また、前記実施例では、電線５７の分岐線５９にスイッチ部３３が設けられ、利用者が解錠操作を行う際に、認証装置４による認証が必要であるが、電線５７の分岐線５９にスイッチ部３３を設けずに、電線５８の分岐線６０にスイッチ部を設けて、利用者が施錠操作を行う際に、認証装置４による認証が必要となるように構成してもよい。
【００６６】
また、前記実施例では、電線５７が２本の分岐線５９、６０により２系統設けられているが、認証装置４にて認証を行う操作の態様に応じて、分岐線を３本や４本やそれ以上設けて、３系統や４系統やそれ以上設けるようにしてもよい。
【符号の説明】
【００６７】
１                什器
２                引出し
３                太陽電池
４                認証装置
５                電気回路
６                施解錠駆動部
７                摘み部
８                錠装置
９                テンキー
１０              ＬＥＤ表示灯
１１              前面板
１２              固定ピン
１３              動作部材
１４              案内部
１５              胴体部
１６              側板
１７              受け座
１８              係合部
１９              回転体
２０              接触部
２１              操作ギア
２２              操作ピン
２３              操作孔
２４              弧状部
２５              線状部
２６              把持部
２７              回転軸部
２８，３１，３８  歯部
２９              ロータリーダンパ
３０              ダンパーギア
３２              被係合ギア
３３              スイッチ部
３４              被係合片
３５              制御部
３６              係合片
３７              連動軸
３９              連動
４０              発電機（発電手段）
４１              回転軸
４３，４６        歯部
４４              ピニオンギア
４５              伝達ギア
４７              発電ギア
４８              コイルバネ
４９              係止孔
５０              係止材
５１              回転軸
５２              切欠部
５３              永久磁石
５４              電磁石
５５，５６        電極
５７，５８        電線
５９，６０        分岐線
６１，６２        整流器
６３              取付金具
【図１】
2014091912.tif 000003
【図２】
2014091912.tif 000004
【図３】
2014091912.tif 000005
【図４】
2014091912.tif 000006
【図５】
2014091912.tif 000007
【図６】
2014091912.tif 000008
【図７】
2014091912.tif 000009